(57)【特許請求の範囲】
【請求項１】
複数の基本周波数ブロックで構成されるシステム帯域で無線通信を行う移動端末装置であって、
前記複数の基本周波数ブロックに割り当てられた下りリンク制御チャネル信号のＡＲＩ（ACK/NACK  Resource  Indicator）フィールドで指定された無線リソースを判定する判定部と、前記ＡＲＩフィールドで指定された無線リソースに基づいて前記複数の基本周波数ブロックに割り当てられた下りリンク共有チャネル信号に対する再送応答信号の送信を制御する制御部とを具備し、
前記制御部は、複数の前記ＡＲＩフィールドで指定された無線リソースに異なる無線リソースが含まれる場合に全ての前記複数の基本周波数ブロックに割り当てられた下りリンク共有チャネル信号に対する再送応答信号の送信を制限することを特徴とする移動端末装置。
【請求項２】
前記制御部は、複数の前記ＡＲＩフィールドで指定された無線リソースのうち、過半数以上の無線リソースが同一の場合には、当該過半数以上の無線リソースを用いて全ての前記複数の基本周波数ブロックに割り当てられた下りリンク共有チャネル信号に対する再送応答信号を送信し、同一の無線リソースが過半数に満たない場合に全ての前記複数の基本周波数ブロックに割り当てられた下りリンク共有チャネル信号に対する再送応答信号の送信を制限することを特徴とする請求項１記載の移動端末装置。
【請求項３】
前記制御部は、前記複数の基本周波数ブロックの中から選択された特定の基本周波数ブロックに割り当てられた下りリンク制御チャネル信号を受信している場合には、当該下りリンク制御チャネル信号に関連づけられた無線リソースを用いて前記特定の基本周波数ブロックに割り当てられた下りリンク共有チャネル信号に対する再送応答信号を送信し、前記特定の基本周波数ブロックに割り当てられた下りリンク制御チャネル信号を受信していない場合に全ての前記複数の基本周波数ブロックに割り当てられた下りリンク共有チャネル信号に対する再送応答信号の送信を制限することを特徴とする請求項１記載の移動端末装置。
【請求項４】
前記制御部は、前記ＡＲＩフィールドで指定された無線リソースのうち、過半数以上の無線リソースが同一の場合には、当該過半数以上の無線リソースを用いて全ての前記複数の基本周波数ブロックに割り当てられた下りリンク共有チャネル信号に対する再送応答信号を送信し、同一の無線リソースが過半数に満たない場合であって、前記複数の基本周波数ブロックの中から選択された特定の基本周波数ブロックに割り当てられた下りリンク制御チャネル信号を受信している場合には、当該下りリンク制御チャネル信号に関連づけられた無線リソースを用いて前記特定の基本周波数ブロックに割り当てられた下りリンク共有チャネル信号に対する再送応答信号を送信し、前記特定の基本周波数ブロックに割り当てられた下りリンク制御チャネル信号を受信していない場合に全ての前記複数の基本周波数ブロックに割り当てられた下りリンク共有チャネル信号に対する再送応答信号の送信を制限することを特徴とする請求項１記載の移動端末装置。
【請求項５】
複数の基本周波数ブロックで構成されるシステム帯域で無線通信を行う移動端末装置であって、
前記複数の基本周波数ブロックに割り当てられた下りリンク制御チャネル信号のＡＲＩフィールドで指定された無線リソースを判定する判定部と、前記ＡＲＩフィールドで指定された無線リソースに異なる無線リソースが含まれる場合に前記複数の基本周波数ブロックに割り当てられた下りリンク共有チャネル信号に対する再送応答信号の送信を制御する制御部とを具備し、
前記制御部は、複数の前記ＡＲＩフィールドで指定された無線リソースのうち、過半数以上の無線リソースが同一の場合には、当該過半数以上の無線リソースを用いて全ての前記複数の基本周波数ブロックに割り当てられた下りリンク共有チャネル信号に対する再送応答信号を送信することを特徴とする移動端末装置。
【請求項６】
複数の基本周波数ブロックで構成されるシステム帯域で無線通信を行う移動端末装置であって、
前記複数の基本周波数ブロックに割り当てられた下りリンク制御チャネル信号のＡＲＩフィールドで指定された無線リソースを判定する判定部と、複数の前記ＡＲＩフィールドで指定された無線リソースに異なる無線リソースが含まれる場合に前記複数の基本周波数ブロックに割り当てられた下りリンク共有チャネル信号に対する再送応答信号の送信を制御する制御部とを具備し、
前記制御部は、前記複数の基本周波数ブロックの中から選択された特定の基本周波数ブロックに割り当てられた下りリンク制御チャネル信号を受信している場合には、当該下りリンク制御チャネル信号に関連づけられた無線リソースを用いて前記特定の基本周波数ブロックに割り当てられた下りリンク共有チャネル信号に対する再送応答信号を送信することを特徴とする移動端末装置。
【請求項７】
複数の基本周波数ブロックで構成されるシステム帯域で無線通信を行う移動通信システムにおける通信制御方法であって、
移動端末装置において、前記複数の基本周波数ブロックに割り当てられた下りリンク制御チャネル信号のＡＲＩフィールドで指定された無線リソースを判定するステップと、前記ＡＲＩフィールドで指定された無線リソースに基づいて前記複数の基本周波数ブロックに割り当てられた下りリンク共有チャネル信号に対する再送応答信号の送信を制御するステップとを具備し、
複数の前記ＡＲＩフィールドで指定された無線リソースに異なる無線リソースが含まれる場合に全ての前記複数の基本周波数ブロックに割り当てられた下りリンク共有チャネル信号に対する再送応答信号の送信を制限することを特徴とする通信制御方法。
【請求項８】
複数の前記ＡＲＩフィールドで指定された無線リソースのうち、過半数以上の無線リソースが同一の場合には、当該過半数以上の無線リソースを用いて全ての前記複数の基本周波数ブロックに割り当てられた下りリンク共有チャネル信号に対する再送応答信号を送信し、同一の無線リソースが過半数に満たない場合に全ての前記複数の基本周波数ブロックに割り当てられた下りリンク共有チャネル信号に対する再送応答信号の送信を制限することを特徴とする請求項７記載の通信制御方法。
【請求項９】
前記複数の基本周波数ブロックの中から選択された特定の基本周波数ブロックに割り当てられた下りリンク制御チャネル信号を受信している場合には、当該下りリンク制御チャネル信号に関連づけられた無線リソースを用いて前記特定の基本周波数ブロックに割り当てられた下りリンク共有チャネル信号に対する再送応答信号を送信し、前記特定の基本周波数ブロックに割り当てられた下りリンク制御チャネル信号を受信していない場合に全ての前記複数の基本周波数ブロックに割り当てられた下りリンク共有チャネル信号に対する再送応答信号の送信を制限することを特徴とする請求項７記載の通信制御方法。
【請求項１０】
複数の前記ＡＲＩフィールドで指定された無線リソースのうち、過半数以上の無線リソースが同一の場合には、当該過半数以上の無線リソースを用いて全ての前記複数の基本周波数ブロックに割り当てられた下りリンク共有チャネル信号に対する再送応答信号を送信し、同一の無線リソースが過半数に満たない場合であって、前記複数の基本周波数ブロックの中から選択された特定の基本周波数ブロックに割り当てられた下りリンク制御チャネル信号を受信している場合には、当該下りリンク制御チャネル信号に関連づけられた無線リソースを用いて前記特定の基本周波数ブロックに割り当てられた下りリンク共有チャネル信号に対する再送応答信号を送信し、前記特定の基本周波数ブロックに割り当てられた下りリンク制御チャネル信号を受信していない場合に全ての前記複数の基本周波数ブロックに割り当てられた下りリンク共有チャネル信号に対する再送応答信号の送信を制限することを特徴とする請求項７記載の通信制御方法。
【発明の詳細な説明】
【技術分野】
【０００１】
本発明は、次世代移動通信システムにおける移動端末装置及び通信制御方法に関する。
【背景技術】
【０００２】
ＵＭＴＳ（Universal  Mobile  Telecommunications  System）ネットワークにおいては、周波数利用効率及びピークデータレートの向上などを目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband  Code  Division  Multiple  Access）をベースとしたシステムの特徴を最大限に引き出すことが行われている。このＵＭＴＳネットワークについては、更なる周波数利用効率及びピークデータレートの向上、遅延の低減などを目的としてロングタームエボリューション（ＬＴＥ:Long  Term  Evolution）が検討されている（例えば、非特許文献１参照）。ＬＴＥではＷ−ＣＤＭＡとは異なり、マルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００３】
上りリンクで送信される信号は、図１に示すように、適切な無線リソースにマッピングされて移動端末装置から無線基地局装置に送信される。この場合において、ユーザデータ（ＵＥ（User  Equipment）＃１，ＵＥ＃２）は、上りリンク共有チャネル（ＰＵＳＣＨ：Physical  Uplink  Shared  Channel）に割り当てられる。また、制御情報は、ユーザデータと同時に送信する場合はＰＵＳＣＨと時間多重され、制御情報のみを送信する場合は、上りリンク制御チャネル（ＰＵＣＣＨ：Physical  Uplink  Control  Channel）に割り当てられる。この上りリンクで送信される制御情報には、下りリンクの品質情報（ＣＱＩ:Channel  Quality  Indicator）や下りリンク共有チャネル（ＰＤＳＣＨ：Physical  Downlink  Shared  Channel））の信号に対する再送応答信号（ＡＣＫ／ＮＡＣＫ）などが含まれる。
【０００４】
ＰＵＣＣＨにおいては、典型的にはＣＱＩとＡＣＫ／ＮＡＣＫを送信する場合で異なるサブフレーム構成が採られている（図２（Ａ）、（Ｂ）参照）。ＰＵＣＣＨのサブフレーム構成は、１スロット（１／２サブフレーム）に７つのＳＣ−ＦＤＭＡシンボルを含む。また、１ＳＣ−ＦＤＭＡシンボルは、１２個の情報シンボル（サブキャリア）を含む。具体的に、ＣＱＩのサブフレーム構成（ＣＱＩフォーマット（ＰＵＣＣＨフォーマット２、２ａ、２ｂ））では、図２（Ａ）に示すように、スロット内の第２シンボル（＃２）、第６シンボル（＃６）に参照信号（ＲＳ：Reference  Signal）が多重され、他のシンボル（第１シンボル（＃１）、第３シンボル（＃３）〜第５シンボル（＃５）、第７シンボル（＃７））に制御情報（ＣＱＩ）が多重される。また、ＡＣＫ／ＮＡＣＫのサブフレーム構成（ＡＣＫ／ＮＡＣＫフォーマット（ＰＵＣＣＨフォーマット１、１ａ、１ｂ））では、図２（Ｂ）に示すように、スロット内の第３シンボル（＃３）〜第５シンボル（＃５）に参照信号が多重され、他のシンボル（第１シンボル（＃１）、第２シンボル（＃２）、第６シンボル（＃６）、第７シンボル（＃７））に制御情報（ＡＣＫ／ＮＡＣＫ）が多重される。１サブフレームにおいては、前記スロットが２回繰り返されている。また、図１に示すように、ＰＵＣＣＨはシステム帯域の両端の無線リソースに多重され、１サブフレーム内の異なる周波数帯域を有する２スロット間で周波数ホッピング(Inter-slot  FH)が適用される。
【先行技術文献】
【非特許文献】
【０００５】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００６】
第３世代のシステム（Ｗ−ＣＭＤＡ）は、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる周波数利用効率及びピークデータレートの向上などを目的として、ＬＴＥの後継のシステムも検討されている（例えば、「ＬＴＥアドバンスト」又は「ＬＴＥエンハンスメント」と呼ぶこともある（以下、「ＬＴＥ−Ａ」という））。
【０００７】
ＬＴＥ−Ａシステムでは、更なる周波数利用効率及びピークスループットなどの向上を目標とし、ＬＴＥシステムよりも広帯域な周波数の割当てが検討されている。また、ＬＴＥ−Ａ（例えば、Ｒｅｌ．１０）システムでは、ＬＴＥシステムとの後方互換性（Backward  compatibility）を持つことが一つの要求条件となっており、ＬＴＥシステムが使用可能な帯域幅を有する基本周波数ブロック（コンポーネントキャリア(ＣＣ:Component  carrier）)を複数有するシステム帯域の構成を採用している。このため、ＬＴＥ−Ａシステムにおいては、複数の下りＣＣで送信された下りリンク共有チャネル（ＰＤＳＣＨ、以下、適宜「データチャネル」という）に対するフィードバック制御情報を送信する必要がある。
【０００８】
特に、ＬＴＥ−Ａシステムの上りリンクにおいては、無線アクセス方式として、ＳＣ−ＦＤＭＡの適用が検討されている。このため、複数の下りＣＣで送信されたデータチャネルに対するフィードバック制御情報においても、上りシングルキャリア送信の特性を維持するために単一のＣＣのみから送信することが要請される。フィードバック制御情報のための無線リソースは、その一部又は全部が下りリンク制御チャネル（ＰＤＣＣＨ：Physical  Downlink  Control  Channel）で指定される。このため、移動端末装置において下りリンク制御チャネル（ＰＤＣＣＨ）を誤って検出すると、データチャネルに対するフィードバック制御情報を無線基地局装置に送信することができず、通信動作が不安定になるという事態が想定される。
【０００９】
本発明はかかる点に鑑みてなされたものであり、複数の基本周波数ブロックで構成されるシステム帯域を有する移動通信システムにおいて、ＰＤＣＣＨの誤検出に起因して通信動作が不安定となる事態を防止することができる移動端末装置及び通信制御方法を提供することを目的とする。
【課題を解決するための手段】
【００１０】
本発明の移動端末装置は、複数の基本周波数ブロックで構成されるシステム帯域で無線通信を行う移動端末装置であって、前記複数の基本周波数ブロックに割り当てられた下りリンク制御チャネル信号のＡＲＩ（ACK/NACK  Resource  Indicator）フィールドで指定された無線リソースを判定する判定部と、前記ＡＲＩフィールドで指定された無線リソースに基づいて前記複数の基本周波数ブロックに割り当てられた下りリンク共有チャネル信号に対する再送応答信号の送信を制御する制御部とを具備し、前記制御部は、複数の前記ＡＲＩフィールドで指定された無線リソースに異なる無線リソースが含まれる場合に全ての前記複数の基本周波数ブロックに割り当てられた下りリンク共有チャネル信号に対する再送応答信号の送信を制限することを特徴とする。
【００１１】
この構成によれば、複数のＡＲＩフィールドで指定された無線リソースに異なる無線リソースが含まれる場合には全ての基本周波数ブロックに割り当てられた下りリンク共有チャネル信号に対する再送応答信号が送信されないことから、無線基地局装置においては、全ての基本周波数ブロックにおいて下りリンク制御チャネルが正しく受信されなかったと判断することができる。この場合、無線基地局装置から全ての基本周波数ブロックに対して下りリンク共有チャネル信号が再送されることから、移動端末装置で再び全ての基本周波数ブロックにおける下りリンク共有チャネル信号を受信することができるので、通信動作を安定して継続することができる。
【発明の効果】
【００１２】
本発明によれば、複数の基本周波数ブロックで構成されるシステム帯域を有する移動通信システムにおいて、ＰＤＣＣＨの誤検出に起因して通信動作が不安定となる事態を防止することができる。
【図面の簡単な説明】
【００１３】
【図１】上りリンクの信号をマッピングするチャネル構成を説明するための図である。
【図２】物理上り制御チャネルフォーマットを示す図である。
【図３】ＬＴＥ（Ｒｅｌ．８）システムにおける再送応答信号のための無線リソースを説明するための模式図である。
【図４】ＬＴＥ−Ａシステムにおける再送応答信号のための無線リソースを説明するための模式図である。
【図５】本発明の第４の態様に係る通信制御方法において、移動端末装置が再送応答信号を送信又は制限する際の処理を説明するためのフロー図である。
【図６】本発明の一実施の形態に係る移動端末装置及び無線基地局装置を有する移動通信システムの構成を説明するための図である。
【図７】上記実施の形態に係る移動端末装置の概略構成を示す図である。
【図８】上記実施の形態に係る無線基地局装置の概略構成を示す図である。
【発明を実施するための形態】
【００１４】
上述したように、下りＣＣの下りリンク共有チャネル（ＰＤＳＣＨ）の信号に対しては、そのフィードバック制御情報である再送応答信号（ＡＣＫ／ＮＡＣＫ）が上りリンク制御チャネル（ＰＵＣＣＨ）で送信される。再送応答信号は、ＰＤＳＣＨが適切に受信されたことを示す肯定応答（ＡＣＫ:Acknowledgement）又はＰＤＳＣＨが適切に受信されなかったことを示す否定応答（ＮＡＣＫ：Negative  Acknowledgement）で表現される。
【００１５】
無線基地局装置は、肯定応答（ＡＣＫ）によりＰＤＳＣＨの送信成功を、否定応答（ＮＡＣＫ）によりＰＤＳＣＨに誤りが検出されたことを検知することができる。また、無線基地局装置は、上りリンクにおいて再送応答信号に割り当てた無線リソースでの受信電力が所定値以下である場合にＤＴＸ（Discontinuous  Transmission）であると判定することができる。ＤＴＸは、「ＡＣＫもＮＡＣＫも移動端末装置から通知されなかった」という判定結果であり、これは移動端末装置が下りリンク制御チャネル（ＰＤＣＣＨ）を受信できなかったことを意味する。この場合、移動端末装置は、自局宛にＰＤＳＣＨが送信されたことを検知しないため、結果としてＡＣＫもＮＡＣＫも送信しないことになる。一方、無線基地局装置は、ＡＣＫを受信すると次の新規データを送信するが、ＮＡＣＫや、応答がないＤＴＸ状態の場合は、送信したデータの再送を行うように再送制御を行なう。
【００１６】
ＬＴＥ（Ｒｅｌ．８）システムにおいて、移動端末装置は、ＰＵＣＣＨのための無線リソースを、上位レイヤからのＲＲＣシグナリングによって設定されたパタメータと、下りリンク制御チャネル（ＰＤＣＣＨ）の制御チャネル要素（ＣＣＥ:Control  Channel  element）番号（以下、適宜「ＣＣＥインデックス」という）から求めることができる（図３参照）。例えば、ＰＵＣＣＨのための無線リソースには、ＯＣＣ（Orthogonal  Cover  Code）、ＣＳ（Cyclic  Shift）やＲＢ（Resource  Block）インデックスが含まれる。このように求めたＰＵＣＣＨの無線リソースに対して、上述したフォーマットに従って制御情報（ＣＱＩ、ＡＣＫ／ＮＡＣＫ）が多重され、無線基地局装置に送信される。
【００１７】
ＬＴＥ−Ａシステムでは、更なる周波数利用効率、ピークスループットなどの向上を目標とし、ＬＴＥよりも広帯域な周波数の割当てが検討されており、ＬＴＥシステムが使用可能な帯域幅を有する基本周波数ブロック（ＣＣ)を複数有するシステム帯域の構成を採用している。このため、複数の下りＣＣから送信されたＰＤＳＣＨに対するフィードバック制御情報である再送応答信号も複数の下りＣＣから送信することが考えられる。
【００１８】
しかしながら、ＬＴＥ−Ａシステムの上りリンクにおいては、無線アクセス方式として、ＳＣ−ＦＤＭＡの適用が検討されている。このため、複数の下りＣＣで送信されたデータチャネル（ＰＤＳＣＨ）に対する再送応答信号においても、上りシングルキャリア送信の特性を維持するために単一のＣＣのみから送信することが要請される。このような要請に対応するため、ＬＴＥ−Ａシステムにおいては、移動端末装置において、無線基地局装置から受信した複数のＣＣ毎のＰＤＳＣＨに基づいて、各ＣＣの再送応答信号を生成し、ユーザ特有（UE-specific）のＣＣの上りリンク制御チャネル（ＰＵＣＣＨ）にマッピングして送信することが検討されている。
【００１９】
ＬＴＥ−Ａシステムにおいては、このように複数の下りＣＣで送信されたＰＤＳＣＨに対するフィードバック制御情報を送信する際のＰＵＣＣＨフォーマットが検討されている（ＰＵＣＣＨフォーマット３）。ここで、ＰＵＣＣＨフォーマット３は、ＰＤＳＣＨと同様に、ＤＦＴ（Discrete  Fourier  Transform）ベースのプリコーディングにより生成され、ＯＣＣにより異なるＵＥを多重することを特徴とする。このＰＵＣＣＨフォーマット３における再送応答信号の無線リソースは、下りリンク制御チャネル（ＰＤＣＣＨ）に設けられたＡＲＩ（ACK/NACK  Resource  Indicator）のためのフィールド（以下、「ＡＲＩフィールド」という）を利用して移動端末装置で求めることが可能となっている。ここで、ＡＲＩとは、再送応答信号のための無線リソースを指定するための識別情報である。
【００２０】
以下、ＬＴＥ−Ａシステムにおける再送応答信号の無線リソースの割り当て法について説明する。図４は、ＬＴＥ−Ａシステムにおける再送応答信号のための無線リソースを説明するための模式図である。なお、図４においては、４つのＣＣ（ＣＣ＃１〜ＣＣ＃４）から送信帯域が構成される場合について示している。また、図４においては、ＣＣ＃１が送信対象となる移動端末装置の第１の基本周波数ブロック（ＰＣＣ：Primary  Component  Carrier）を構成し、ＣＣ＃２〜ＣＣ＃４が第２の基本周波数ブロック（ＳＣＣ：Secondly  Component  Carrier）を構成する場合について示している。
【００２１】
ＬＴＥ−Ａシステムにおいて、再送応答信号の無線リソースを割り当てる場合、まず、各移動端末装置に対して上位レイヤからのＲＲＣシグナリングにより複数（例えば、４つ）の無線リソースが割り当てられる。また、ＳＣＣのＰＤＳＣＨに対するＰＤＣＣＨにおいては、ＴＰＣコマンドフィールド（２ビット）がＡＲＩフィールドに置換されている。ＡＲＩフィールドにおいては、ＲＲＣシグナリングにより割り当てられた複数の無線リソースのうち、移動端末装置が利用すべき１つの無線リソースが指定される。移動端末装置においては、ＲＲＣシグナリングにより割り当てられた複数の無線リソースの中から、ＡＲＩフィールドで指定された無線リソースを特定することで再送応答信号のための無線リソースを求めることができる。
【００２２】
ここで、ＡＲＩフィールドにおいては、複数のＳＣＣ（図４においては、ＣＣ＃２〜ＣＣ＃４）で全て同一の無線リソースが指定される。これにより、移動端末装置においては、自装置に割り当てられた唯一の無線リソースを特定することができる。このように特定された無線リソースに対して、各ＣＣに対応する再送応答信号を多重することにより、ＰＤＳＣＨが適切に受信されたこと、或いは、ＰＤＳＣＨが適切に受信されなかったことを無線基地局装置に通知することが可能となる。
【００２３】
しかしながら、移動端末装置において、ＰＤＣＣＨの誤検出が発生した場合には、複数のＳＣＣにおけるＰＤＣＣＨのＡＲＩフィールドで指定された無線リソースが異なって検出される事態が発生し得る。この場合、移動端末装置においては、再送応答信号のための無線リソースを特定することができないことから、各ＣＣに対応する再送応答信号を適切に多重することができず、ＰＤＳＣＨが適切に受信されたこと、或いは、ＰＤＳＣＨが適切に受信されなかったことを無線基地局装置に通知することが困難となる。本発明者は、このように複数のＣＣで構成されるシステム帯域を有する移動通信システムにおいて、ＰＤＣＣＨの誤検出に起因して通信動作が不安定となり得る点に着目し、本発明をするに至ったものである。
【００２４】
すなわち、本発明の第１の態様に係る通信制御方法においては、移動端末装置において、複数のＳＣＣにおけるＰＤＣＣＨのＡＲＩフィールドで指定された無線リソースを判定し、複数のＡＲＩフィールドで指定された無線リソースに異なる無線リソースが含まれる場合に全てのＣＣに割り当てられたＰＤＳＣＨに対する再送応答信号（ＡＣＫ／ＮＡＣＫ）の送信を制限する。
【００２５】
第１の態様に係る通信制御方法によれば、複数のＡＲＩフィールドで指定された無線リソースに異なる無線リソースが含まれる場合には再送応答信号が送信されないことから、無線基地局装置においては、全てのＣＣにおいてＰＤＣＣＨが正しく受信されなかったと判断することができる（すなわち、ＤＴＸと判断することができる）。この場合、無線基地局装置から全てのＣＣに対してＰＤＳＣＨが再送されることから、移動端末装置で再び全てのＣＣにおけるＰＤＳＣＨを受信することができるので、通信動作を安定して継続することが可能となる。
【００２６】
また、本発明の第２の態様に係る通信制御方法においては、移動端末装置において、複数のＳＣＣに割り当てられたＰＤＣＣＨのＡＲＩフィールドで指定された無線リソースを判定し、複数のＡＲＩフィールドで指定された無線リソースに異なる無線リソースが含まれる場合において、ＳＣＣの数が３つ以上であり、過半数以上のＡＲＩフィールドで同一の無線リソースが指定された場合には、過半数以上のＡＲＩフィールドで指定された無線リソースを用いて全てのＣＣに割り当てられたＰＤＳＣＨに対する再送応答信号を送信する。
【００２７】
第２の態様に係る通信制御方法によれば、複数のＡＲＩフィールドで指定された無線リソースに異なる無線リソースが含まれる場合であっても、一定条件下において、過半数以上のＡＲＩフィールドで指定された無線リソースを用いて全てのＣＣに割り当てられたＰＤＳＣＨに対する再送応答信号が送信されることから、無線基地局装置においては、全てのＣＣのＰＤＣＣＨが正しく受信されたと判断することができる。この場合、無線基地局装置から全てのＣＣに対して新規のＰＤＳＣＨが送信、或いは、送信されたＰＤＳＣＨが再送されることから、移動端末装置で全てのＣＣにおける新規のＰＤＳＣＨ又は再送されたＰＤＳＣＨを受信することができるので、通信動作を安定して継続することが可能となる。
【００２８】
なお、第２の態様に係る通信制御方法においては、第１の態様に係る通信制御方法と組み合わせて再送応答信号の送信を制御することも可能である。すなわち、複数のＡＲＩフィールドで指定された無線リソースのうち、過半数以上の無線リソースが同一の場合には、当該過半数以上の無線リソースを用いて全てのＣＣに割り当てられたＰＤＳＣＨに対する再送応答信号を送信し、同一の無線リソースが過半数に満たない場合に全てのＣＣに割り当てられたＰＤＳＣＨに対する再送応答信号の送信を制限する。この場合には、第１の態様に係る通信制御方法で得られる効果も期待でき、更に通信動作を安定して継続することが可能となる。
【００２９】
さらに、本発明の第３の態様に係る通信制御方法においては、移動端末装置において、複数のＳＣＣに割り当てられたＰＤＣＣＨのＡＲＩフィールドで指定された無線リソースを判定し、複数のＡＲＩフィールドで指定された無線リソースに異なる無線リソースが含まれる場合において、ＰＣＣのＰＤＣＣＨを適切に受信している場合には、ＬＴＥ（Ｒｅｌ．８）システムと同様の要領でＰＵＣＣＨのための無線リソースを特定し、ＰＣＣに割り当てられたＰＤＳＣＨに対する再送応答信号のみを送信する。すなわち、第３の態様に係る移動端末装置においては、一定条件下において、ＰＣＣのＰＤＣＣＨに関連づけられた無線リソースを用いてＰＣＣに割り当てられたＰＤＳＣＨに対する再送応答信号のみを送信する。
【００３０】
第３の態様に係る通信制御方法によれば、複数のＡＲＩフィールドで指定された無線リソースに異なる無線リソースが含まれる場合であっても、一定条件下において、ＰＣＣに割り当てられたＰＤＳＣＨに対する再送応答信号が送信されることから、無線基地局装置においては、ＰＣＣのみＰＤＣＣＨが正しく受信されたと判断することができる。この場合、無線基地局装置から全てのＳＣＣに対して送信信号が再送されることから、移動端末装置で再び全てのＳＣＣにおけるＰＤＳＣＨを受信することができるので、通信動作を安定して継続することが可能となる。また、ＰＣＣのＰＤＳＣＨが適切に受信された場合には、ＰＣＣにおけるＰＤＳＣＨの再送が不要となるので、全てのＣＣに対してＰＤＳＣＨが再送される場合に比べてスループット特性を改善することが可能となる。
【００３１】
なお、第３の態様に係る通信制御方法においては、第１の態様に係る通信制御方法と組み合わせて再送応答信号の送信を制御することも可能である。すなわち、ＰＣＣに割り当てられたＰＤＣＣＨを受信している場合には、ＰＤＣＣＨに関連づけられた無線リソースを用いてＰＣＣに割り当てられたＰＤＳＣＨに対する再送応答信号を送信し、ＰＣＣに割り当てられたＰＤＣＣＨを受信していない場合に全てのＣＣに割り当てられたＰＤＳＣＨに対する再送応答信号の送信を制限する。この場合には、第１の態様に係る通信制御方法で得られる効果も期待でき、更に通信動作を安定して継続することが可能となる。
【００３２】
さらに、本発明の第４の態様に係る通信制御方法においては、移動端末装置において、第１〜第３の態様に係る通信制御方法を組み合わせて再送応答信号を送信又は制限する。具体的には、複数のＳＣＣに割り当てられたＰＤＣＣＨのＡＲＩフィールドで指定された無線リソースを判定し、複数のＡＲＩフィールドで指定された無線リソースに異なる無線リソースが含まれる場合において、ＳＣＣの数が３つ以上であり、過半数以上のＡＲＩフィールドで同一の無線リソースが指定された場合には、過半数以上のＡＲＩフィールドで指定された無線リソースを用いて全てのＣＣに割り当てられたＰＤＳＣＨに対する再送応答信号を送信する。また、ＳＣＣの数が３つに満たない場合、或いは、ＡＲＩフィールドで指定された同一の無線リソースが過半数に満たない場合であって、ＰＣＣのＰＤＣＣＨを適切に受信している場合には、ＬＴＥ（Ｒｅｌ．８）システムと同様の要領でＰＵＣＣＨの無線リソースを特定し、ＰＣＣに割り当てられたＰＤＳＣＨに対する再送応答信号のみを送信する。さらに、ＰＣＣのＰＤＣＣＨを適切に受信していない場合には、移動端末装置から無線基地局装置に対して再送応答信号（ＡＣＫ／ＮＡＣＫ信号）の送信を制限する。
【００３３】
図５は、本発明の第４の態様に係る通信制御方法において、移動端末装置が再送応答信号を送信又は制限する際の処理を説明するためのフロー図である。図５に示すように、移動端末装置においては、複数のＳＣＣにおけるＰＤＣＣＨのＡＲＩフィールドで指定された無線リソースとして異なる無線リソースを検出するか判定する（ステップＳＴ５０１）。ここで、全てのＳＣＣにおけるＰＤＣＣＨのＡＲＩフィールドで同一の無線リソースが指定されている場合には、その無線リソースを再送応答信号のための無線リソースとして特定する（ステップＳＴ５０２）。そして、この無線リソースを用いて全てのＣＣに対する再送応答信号を送信する（ステップＳＴ５０３）。
【００３４】
ＳＴ５０１において、複数のＳＣＣにおけるＰＤＣＣＨのＡＲＩフィールドで指定された無線リソースが異なる場合には、ＳＣＣが３つ以上であって、ＰＤＣＣＨのＡＲＩフィールドで指定された過半数以上の無線リソースが同一であるか判定する（ＳＴ５０４）。ここで、過半数以上の無線リソースが同一である場合には、その無線リソースを再送応答信号のための無線リソースとして特定する（ステップＳＴ５０５）。そして、この無線リソースを用いて全てのＣＣに対する再送応答信号を送信する（ステップＳＴ５０３）。
【００３５】
このようにＳＣＣが３つ以上であって、過半数以上のＡＲＩフィールドで指定された無線リソースが同一の場合には、その無線リソースを用いて全てのＣＣに割り当てられたＰＤＳＣＨに対する再送応答信号が送信されることから、無線基地局装置においては、全てのＣＣのＰＤＣＣＨが正しく受信されたと判断できる。このため、無線基地局装置から全てのＣＣに対して新規のＰＤＳＣＨが送信、或いは、ＰＤＳＣＨが再送されることから、移動端末装置で全てのＣＣにおける新規のＰＤＳＣＨ又は再送されたＰＤＳＣＨを受信することができるので、通信動作を安定して継続することが可能となる。
【００３６】
なお、この場合において、再送応答信号のための無線リソースと異なる無線リソースを指定したＡＲＩフィールドを含むＳＣＣに対する再送応答信号については、否定応答（ＮＡＣＫ）を送信することが好ましい。このように否定応答（ＮＡＣＫ）を送信することにより、無線基地局装置から該当するＰＤＳＣＨが再送されるので、ＰＤＣＣＨの誤検出が発生したＳＣＣに割り当てられたＰＤＳＣＨを再び受信することが可能となる。
【００３７】
ＳＴ５０４において、ＳＣＣが３つ以上でない場合、或いは、過半数以上のＡＲＩフィールドで指定された無線リソースが同一でない場合には、ＰＣＣのＰＤＣＣＨを正しく受信しているか判定する（ＳＴ５０６）。ここで、ＰＣＣのＰＤＣＣＨを正しく受信している場合には、ＬＴＥ（Ｒｅｌ．８）システムと同様の要領でＰＵＣＣＨの無線リソースを特定する（ＳＴ５０７）。そして、この無線リソースを用いてＰＣＣに対する再送応答信号のみを送信する（ステップＳＴ５０３）。
【００３８】
このようにＳＣＣが３つ以上でない場合、或いは、過半数以上のＡＲＩフィールドで指定された無線リソースが同一でない場合においても、ＰＣＣのＰＤＣＣＨを適切に受信している場合には、ＰＣＣに割り当てられたＰＤＳＣＨに対する再送応答信号が送信されることから、無線基地局装置においては、ＰＣＣのみＰＤＣＣＨが正しく受信されたと判断できる。このため、無線基地局装置から全てのＳＣＣに対してＰＤＳＣＨが再送されることから、移動端末装置で再び全てのＳＣＣにおけるＰＤＳＣＨを受信することができるので、通信動作を安定して継続することが可能となる。また、ＰＣＣにおいてはＰＤＳＣＨの再送が不要となるので、全てのＣＣに対してＰＤＳＣＨが再送される場合に比べてスループット特性を改善することが可能となる。
【００３９】
ＳＴ５０６において、ＰＣＣのＰＤＣＣＨを正しく受信していない場合には、全てのＣＣにおける再送応答信号の送信を制限する（ＳＴ５０８）。
【００４０】
このようにＳＣＣが３つ以上でない場合、或いは、ＡＲＩフィールドで指定された同一の無線リソースが過半数に満たない場合であって、ＰＣＣのＰＤＣＣＨを正しく受信していない場合には再送応答信号の送信が制限されることから、無線基地局装置においては、全てのＣＣにおいてＰＤＣＣＨが正しく受信されなかったと判断できる。このため、無線基地局装置から全てのＣＣに対してＰＤＳＣＨが再送されることから、移動端末装置で再び全てのＣＣにおけるＰＤＳＣＨを受信することができるので、通信動作を安定して継続することが可能となる。
【００４１】
以下、本発明に係る通信制御方法が適用される移動端末装置及び無線基地局装置等の構成について説明する。ここでは、ＬＴＥ−Ａ方式のシステム（ＬＴＥ−Ａシステム）に対応する無線基地局装置及び移動端末装置を用いる場合について説明する。
【００４２】
まず、図６を参照しながら、本発明に係る通信制御方法が適用される移動端末装置及び無線基地局装置を有する移動通信システムについて説明する。図６は、本発明の一実施の形態に係る移動端末装置１０及び無線基地局装置２０を有する移動通信システム１の構成を説明するための図である。なお、図６に示す移動通信システム１は、例えば、ＬＴＥシステムが包含されるシステムである。また、この移動通信システム１０は、ＩＭＴ−Ａｄｖａｎｃｅｄと呼ばれても良いし、４Ｇと呼ばれても良い。
【００４３】
図６に示すように、移動通信システム１は、無線基地局装置２０と、この無線基地局装置２０と通信する複数の移動端末装置１０（１０１、１０２、１０３、・・・１０ｎ、ｎはｎ＞０の整数）とを含んで構成されている。無線基地局装置２０は、コアネットワーク３０と接続される。移動端末装置１０は、セル４０において無線基地局装置２０と通信を行っている。なお、コアネットワーク３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００４４】
移動通信システム１においては、無線アクセス方式として、下りリンクについてはＯＦＤＭＡが適用され、上りリンクについてはＳＣ−ＦＤＭＡが適用される。ここで、ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、端末毎に連続した帯域にデータをマッピングして通信を行うシングルキャリア伝送方式であり、複数の端末が互いに異なる帯域を用いることで、マルチアクセスを実現する。
【００４５】
ここで、ＬＴＥシステムにおける通信チャネルについて説明する。下りリンクについては、各移動端末装置１０のトラヒックデータを伝送するＰＤＳＣＨ、並びに、各移動端末装置１０にＰＤＳＣＨにおけるリソースブロック（ＲＢ）の割り当て情報、データ変調方式・チャネル符号化率、再送関連情報等のＬ１／Ｌ２制御情報を通知するＰＤＣＣＨ等が用いられる。また、チャネル推定、受信品質測定等に用いられる参照信号がこれらのチャネルと共に送信される。
【００４６】
上りリンクについては、各移動端末装置１０のトラヒックデータを伝送するＰＵＳＣＨ、並びに、下り周波数スケジューリングのためのチャネル品質情報（ＣＱＩ）報告、下り送信データに対するＡＣＫ／ＮＡＣＫ等のＬ１／Ｌ２制御情報を伝送するＰＵＣＣＨ等が用いられる。また、チャネル推定に用いられる復調用参照信号やチャネル品質測定に用いられるチャネル品質測定用参照信号がこれらのチャネルと共に送信される。
【００４７】
図７は、本実施の形態に係る移動端末装置１０の概略構成を示す図である。図７に示す移動端末装置１０は、送信部と、受信部とを備えている。送信部は、第１ＡＣＫ／ＮＡＣＫ信号処理部１００と、第２ＡＣＫ／ＮＡＣＫ信号処理部１３０と、参照信号処理部１０１と、ＡＣＫ／ＮＡＣＫ信号と参照信号とを時間多重する時間多重部１０２とを備えている。なお、送信部の機能ブロックにはユーザデータ（ＰＵＳＣＨ)を送信する処理ブロックが図示されていないが、ユーザデータ（ＰＵＳＣＨ)は時間多重部１０２にて多重される。
【００４８】
第１ＡＣＫ／ＮＡＣＫ信号処理部１００は、ＬＴＥ（Ｒｅｌ．８）システムで規定されるＰＵＣＣＨフォーマット１（１ａ、１ｂ）によって再送応答信号を送信する際に必要となる処理を行う部分である。例えば、上述した第３の態様又は第４の態様に係る通信制御方法において、ＬＴＥ（Ｒｅｌ．８）システムと同様の要領で再送応答信号を送信する際に必要となる処理を行う。
【００４９】
第１ＡＣＫ／ＮＡＣＫ信号処理部１００は、ＣＡＺＡＣ番号に対応するＣＡＺＡＣ符号系列を生成するＣＡＺＡＣ符号生成部１００１と、ＡＣＫ／ＮＡＣＫビット系列を誤り訂正符号化するチャネル符号化部１００２と、データ変調するデータ変調部１００３と、生成したＣＡＺＡＣ符号系列をデータ変調後の信号によりブロック変調するブロック変調部１００４と、ブロック変調後の信号に対して巡回シフトを行う巡回シフト部１００５と、巡回シフト後の信号にブロック拡散符号でブロック拡散する（直交符号を乗算する）ブロック拡散部１００６と、ブロック拡散後の信号をサブキャリアにマッピングするサブキャリアマッピング部１００７と、マッピング後の信号を逆高速フーリエ変換（ＩＦＦＴ）するＩＦＦＴ部１００８と、ＩＦＦＴ後の信号にＣＰ（Cyclic  Prefix）を付与するＣＰ付与部１００９とを有する。
【００５０】
第２ＡＣＫ／ＮＡＣＫ信号処理部１３０は、ＬＴＥ−Ａシステムで規定されるＰＵＣＣＨフォーマット３によって場合に再送応答信号を送信する際に必要となる処理を行う部分である。例えば、上述した第２の態様又は第４の態様に係る通信制御方法において、過半数以上のＡＲＩフィールドで指定された無線リソースを用いて全てのＣＣに割り当てられたＰＤＳＣＨに対する再送応答信号を送信する際に必要となる処理を行う。
【００５１】
第２ＡＣＫ／ＮＡＣＫ信号処理部１３０は、ＡＣＫ／ＮＡＣＫビット系列を誤り訂正符号化するチャネル符号化部１３０１と、ＡＣＫ／ＮＡＣＫビット系列をデータ変調するデータ変調部１３０２と、データ変調後の信号にＤＦＴ（Discrete  Fourier  Transform）するＤＦＴ部１３０３と、ＤＦＴ後の信号にブロック拡散符号でブロック拡散するブロック拡散部１３０４と、ブロック拡散後の信号をサブキャリアにマッピングするサブキャリアマッピング部１３０５と、マッピング後の信号をＩＦＦＴするＩＦＦＴ部１３０６と、ＩＦＦＴ後の信号にＣＰを付与するＣＰ付与部１３０７とを有する。
【００５２】
参照信号処理部１０１は、ＣＡＺＡＣ番号に対応するＣＡＺＡＣ符号系列を生成するＣＡＺＡＣ符号生成部１０１１と、ＣＡＺＡＣ符号系列により構成される参照信号に対して巡回シフトを行う巡回シフト部１０１２と、巡回シフト後の信号にブロック拡散符号でブロック拡散するブロック拡散部１０１３と、ブロック拡散後の信号をサブキャリアにマッピングするサブキャリアマッピング部１０１４と、マッピング後の信号をＩＦＦＴするＩＦＦＴ部１０１５と、ＩＦＦＴ後の信号にＣＰを付与するＣＰ付与部１０１６とを有する。
【００５３】
なお、上りリンクの参照信号には、ＳＲＳ（Surrounding  RS）とＲＳとが含まれる。ＳＲＳは、スケジューリング（及びタイミング制御）に必要な各移動端末装置１０の上りリンクチャネルの状態を無線基地局装置２０にて推定するための参照信号であり、ＰＵＳＣＨ、ＰＵＣＣＨとは独立に第２スロットの最終ＳＣ−ＦＤＭＡシンボルに多重される。一方、ＲＳは、各スロットの第２シンボルと第６シンボルに多重される。
【００５４】
移動端末装置１０では、下りリンク共有チャネル（ＰＤＳＣＨ）で受信した信号に対してＡＣＫ／ＮＡＣＫを判定し、これに対応するＡＣＫ／ＮＡＣＫビット系列を生成する。生成されたＡＣＫ／ＮＡＣＫビット系列は、予め定められた符号化テーブルに基づいて符号化された後、後述する再送応答信号送信制御部１０５により通知されたＰＵＣＣＨフォーマットに応じて第１ＡＣＫ／ＮＡＣＫ信号処理部１００又は第２ＡＣＫ／ＮＡＣＫ信号処理部１３０に出力される。具体的には、ＡＣＫ／ＮＡＣＫビット系列は、ＰＵＣＣＨフォーマット１（１ａ、１ｂ）が指定される場合には、第１ＡＣＫ／ＮＡＣＫ信号処理部１００に出力され、ＰＵＣＣＨフォーマット３が指定される場合には、第２ＡＣＫ／ＮＡＣＫ信号処理部１３０に出力される。
【００５５】
第１ＡＣＫ／ＮＡＣＫ信号処理部１００のデータ変調部１００３は、チャネル符号化部１００２でチャネル符号化されたＡＣＫ／ＮＡＣＫビット系列を極座標成分の信号に変調する。データ変調部１００３は、データ変調後の信号をブロック変調部１００４へ出力する。ＣＡＺＡＣ符号生成部１００１は、ユーザに割り当てられているＣＡＺＡＣ番号に対応するＣＡＺＡＣ符号系列を準備する。ＣＡＺＡＣ符号生成部１００１は、生成したＣＡＺＡＣ符号系列をブロック変調部１００４へ出力する。ブロック変調部１００４は、１ＳＣ−ＦＤＭＡシンボルに対応する時間ブロック毎にＣＡＺＡＣ符号系列を、データ変調後の制御信号でブロック変調する。ブロック変調部１００４は、ブロック変調後の信号を巡回シフト部１００５に出力する。
【００５６】
巡回シフト部１００５は、時間領域の信号を所定の巡回シフト量だけ巡回シフトする。なお、巡回シフト量はユーザ毎に異なり、巡回シフト番号に対応づけられている。巡回シフト部１００５は、巡回シフト後の信号をブロック拡散部１００６に出力する。ブロック拡散部１００６は、巡回シフト後の参照信号に直交符号（ＯＣＣ：Orthogonal  Cover  Code）を乗算する（ブロック拡散する）。ブロック拡散部１００６は、ブロック拡散後の信号をサブキャリアマッピング部１００７に出力する。
【００５７】
サブキャリアマッピング部１００７は、ブロック拡散後の信号をリソースマッピング情報に基づき、サブキャリアにマッピングする。サブキャリアマッピング部１００７は、マッピングされた信号をＩＦＦＴ部１００８に出力する。ＩＦＦＴ部１００８は、マッピングされた信号をＩＦＦＴして時間領域の信号に変換する。ＩＦＦＴ部１００８は、ＩＦＦＴ後の信号をＣＰ付与部１００９に出力する。ＣＰ付与部１００９は、マッピング後の信号にＣＰを付与する。ＣＰ付与部１００９は、ＣＰを付与した信号を時間多重部１０２に出力する。
【００５８】
第２ＡＣＫ／ＮＡＣＫ信号処理部１３０のデータ変調部１３０２は、チャネル符号化部１３０１でチャネル符号化されたＡＣＫ／ＮＡＣＫビット系列を極座標成分の信号に変調する。データ変調部１３０２は、データ変調後の信号をＤＦＴ部１３０３へ出力する。ＤＦＴ部１３０３は、データ変調後の信号にＤＦＴして周波数領域の信号に変換する。ＤＦＴ部１３０３は、ＤＦＴ後の信号をブロック拡散部１３０４に出力する。ブロック拡散部１３０４は、ＤＦＴ後の信号に直交符号（ＯＣＣ）を乗算する。ブロック拡散部１３０４は、ブロック拡散後の信号をサブキャリアマッピング部１３０５に出力する。
【００５９】
サブキャリアマッピング部１３０５は、ブロック拡散後の信号をリソースマッピング情報に基づき、サブキャリアにマッピングする。サブキャリアマッピング部１３０５は、マッピングされた信号をＩＦＦＴ部１３０６に出力する。ＩＦＦＴ部１３０６は、マッピングされた信号をＩＦＦＴして時間領域の信号に変換する。ＩＦＦＴ部１３０６は、ＩＦＦＴ後の信号をＣＰ付与部１３０７に出力する。ＣＰ付与部１３０７は、マッピング後の信号にＣＰを付与する。ＣＰ付与部１３０７は、ＣＰを付与した信号を時間多重部１０２に出力する。
【００６０】
参照信号処理部１０１のＣＡＺＡＣ符号生成部１０１１は、ユーザに割り当てられているＣＡＺＡＣ番号に対応するＣＡＺＡＣ符号系列を準備し、参照信号として用いる。ＣＡＺＡＣ符号生成部１０１１は、参照信号を巡回シフト部１０１２に出力する。巡回シフト部１０１２は、時間領域の参照信号を所定の巡回シフト量だけシフトする。なお、巡回シフト量はユーザ毎に異なり、巡回シフト番号に対応づけられている。巡回シフト部１０１２は、巡回シフト後の参照信号をブロック拡散部１０１３に出力する。
【００６１】
ブロック拡散部１０１３は、巡回シフト後の参照信号に直交符号（ＯＣＣ）を乗算する。ここで、参照信号に用いるＯＣＣ（ブロック拡散符号番号）については、上位レイヤからＲＲＣシグナリングなどで通知しても良く、データシンボルのＣＳ（Cyclic  Shift）に予め関連付けられたＯＣＣを用いても良い。ブロック拡散部１０１３は、ブロック拡散後の信号をサブキャリアマッピング部１０１４に出力する。
【００６２】
サブキャリアマッピング部１０１４は、周波数領域の信号をリソースマッピング情報に基づき、サブキャリアにマッピングする。サブキャリアマッピング部１０１４は、マッピングされた参照信号をＩＦＦＴ部１０１５に出力する。ＩＦＦＴ部１０１５は、マッピングされた信号をＩＦＦＴして時間領域の参照信号に変換する。ＩＦＦＴ部１０１５は、ＩＦＦＴ後の参照信号をＣＰ付与部１０１６に出力する。ＣＰ付与部１０１６は、直交符号乗算後の参照信号にＣＰを付与する。ＣＰ付与部１０１６は、ＣＰを付与した参照信号を時間多重部１０２に出力する。
【００６３】
時間多重部１０２では、第１ＡＣＫ／ＮＡＣＫ信号処理部１００又は第２ＡＣＫ／ＮＡＣＫ信号処理部１３０からの上り制御信号と、参照信号処理部１０１からの参照信号とを時間多重して、上り制御チャネル信号を含む送信信号とする。このように生成された送信信号は、上りリンクにて無線基地局装置２０に送信される。
【００６４】
受信部は、ＯＦＤＭ信号を復調するＯＦＤＭ信号復調部１０３と、下り制御信号を復号して再送応答信号のための無線リソースを判定する下り制御信号復号部１０４と、下り制御信号復号部１０４で判定された無線リソースに基づいて再送応答信号の送信を制御する再送応答信号送信制御部１０５と、下りリンク信号によりＡＣＫ／ＮＡＣＫを判定するＡＣＫ／ＮＡＣＫ判定部１０６と、ＡＣＫ／ＮＡＣＫ信号符号化部１０７とを有する。
【００６５】
ＯＦＤＭ信号復調部１０３は、下りＯＦＤＭ信号を受信し、復調する。すなわち、下りＯＦＤＭ信号からＣＰを除去し、高速フーリエ変換し、ＢＣＨ信号或いは下り制御信号が割り当てられたサブキャリアを取り出し、データ復調する。ＯＦＤＭ信号復調部１０３は、データ復調後の信号を下り制御信号復号部１０４に出力する。また、ＯＦＤＭ信号復調部１０３は、下りリンク信号をＡＣＫ／ＮＡＣＫ判定部１０６に出力する。
【００６６】
下り制御信号復号部１０４は、判定部を構成するものであり、データ復調後の信号を復号して、自装置に割り当てられた再送応答信号のための無線リソースを判定する。具体的には、下り制御信号復号部１０４は、データ復調後の信号を復号して、無線リソースとして、ＣＡＺＡＣ番号、リソースマッピング情報（ＲＢインデックス、ＡＲＩを含む）、巡回シフト番号、ブロック拡散符号番号を得る。下り制御信号復号部１０４は、これらの無線リソースを再送応答信号送信制御部１０５に出力する。
【００６７】
再送応答信号送信制御部１０５は、制御部を構成するものであり、下り制御信号復号部１０４から入力された無線リソースに基づいて再送応答信号の送信を制御する。具体的には、無線基地局装置２０との通信に割り当てられたＣＣに対応する無線リソースに基づいて再送応答信号の送信方法を選択する。例えば、無線基地局装置２０との通信に単一ＣＣが割り当てられている場合には、そのＣＣのＰＤＣＣＨのＣＣＥインデックスに対応する無線リソースに基づいて再送応答信号の送信方法を選択する。また、無線基地局装置２０との通信に複数ＣＣが割り当てられている場合には、ＳＣＣのＰＤＣＣＨ内のＡＲＩフィールドに指定された無線リソースに基づいて再送応答信号の送信方法を選択する。再送応答信号送信制御部１０５は、指定された無線リソースのうち、ＣＡＺＡＣ番号をＣＡＺＡＣ符号生成部１００１、１０１１に出力し、リソースマッピング情報をサブキャリアマッピング部１００７、１３０５、１０１４に出力し、巡回シフト番号を巡回シフト部１００５、１０１２に出力し、ブロック拡散符号番号（ＯＣＣ番号）をブロック拡散部１００６、１３０４、１０１３に出力する。
【００６８】
この場合において、無線基地局装置２０との通信に複数のＳＣＣが割り当てられており、これらのＳＣＣにおけるＰＤＣＣＨのＡＲＩフィールドで指定された無線リソースに異なる無線リソースが含まれている場合、再送応答信号送信制御部１０５は、上述した第１〜第４のいずれかの態様に係る通信制御方法に従って再送応答信号を送信又は制限する送信方法を選択する。
【００６９】
例えば、再送応答信号送信制御部１０５は、無線基地局装置２０に対して再送応答信号の送信を制限する送信方法を選択する（第１の態様に係る通信制御方法）。また、再送応答信号送信制御部１０５は、ＳＣＣの数が３つ以上であり、過半数以上のＡＲＩフィールドで同一の無線リソースが指定されている場合には、その過半数以上のＡＲＩフィールドで指定された無線リソースを用いて全てのＣＣに割り当てられたＰＤＳＣＨに対する再送応答信号を送信する送信方法を選択する（第２の態様に係る通信制御方法）。
【００７０】
さらに、再送応答信号送信制御部１０５は、ＰＣＣのＰＤＣＣＨを適切に受信している場合には、ＬＴＥ（Ｒｅｌ．８）システムと同様の要領でＰＵＣＣＨのための無線リソースを特定し、ＰＣＣに割り当てられたＰＤＳＣＨに対する再送応答信号のみを送信する送信方法を選択する（第３の態様に係る通信制御方法）。さらに、再送応答信号送信制御部１０５は、図５に示すフローに従って再送応答信号を送信又は制限する送信方法を選択する（第４の態様に係る通信制御方法）。
【００７１】
また、再送応答信号送信制御部１０５は、選択した再送応答信号の送信方法をＡＣＫ／ＮＡＣＫ判定部１０６に通知すると共に、選択した再送応答信号の送信方法に応じたＰＵＣＣＨフォーマットをＡＣＫ／ＮＡＣＫ信号符号化部１０７に通知する。例えば、全てのＣＣに割り当てられたＰＤＳＣＨに対する再送応答信号を送信する送信方法を選択した場合（第２の態様に係る通信制御方法）には、ＰＵＣＣＨフォーマット３をＡＣＫ／ＮＡＣＫ信号符号化部１０７に通知する。また、ＰＣＣに割り当てられたＰＤＳＣＨに対する再送応答信号のみを送信する送信方法を選択した場合（第３の態様に係る通信制御方法）には、ＰＵＣＣＨフォーマット１（１ａ、１ｂ））をＡＣＫ／ＮＡＣＫ信号符号化部１０７に通知する。
【００７２】
ＡＣＫ／ＮＡＣＫ判定部１０６は、受信した下り共有チャネル（ＰＤＳＣＨ）が誤りなく受信できたか否かを判定し、ＰＤＳＣＨが誤りなく受信できていればＡＣＫ、誤りが検出されればＮＡＣＫ、ＰＤＳＣＨが検出されなければＤＴＸの各状態を判定結果（ＡＣＫ／ＮＡＣＫビット系列）としてＡＣＫ／ＮＡＣＫ信号符号化部１０７に出力する。無線基地局装置２０との通信に複数ＣＣが割り当てられている場合は、ＣＣ毎にＰＤＳＣＨが誤りなく受信できたか否かを判定する。
【００７３】
この場合において、ＡＣＫ／ＮＡＣＫ判定部１０６は、再送応答信号送信制御部１０５から通知された再送応答信号の送信方法に基づいてＣＣに割り当てられたＰＤＳＣＨが誤りなく受信できたか否かを判定する。例えば、無線基地局装置２０に対して再送応答信号の送信を制限する送信方法の通知を受けた場合（第１の態様に係る通信制御方法）、ＡＣＫ／ＮＡＣＫ判定部１０６は、ＰＤＳＣＨが誤りなく受信できたか否かの判定を行わず、ＤＴＸ状態を示すＡＣＫ／ＮＡＣＫビット系列をＡＣＫ／ＮＡＣＫ信号符号化部１０７に出力する。
【００７４】
また、過半数以上のＡＲＩフィールドで指定された無線リソースを用いて全てのＣＣに割り当てられたＰＤＳＣＨに対する再送応答信号を送信する送信方法の通知を受けた場合（第２の態様に係る通信制御方法）、ＡＣＫ／ＮＡＣＫ判定部１０６は、全てのＣＣにおいてＰＤＳＣＨが誤りなく受信できたか否か判定し、各ＰＤＳＣＨの受信状況に応じたＡＣＫ／ＮＡＣＫビット系列をＡＣＫ／ＮＡＣＫ信号符号化部１０７に出力する。
【００７５】
さらに、ＬＴＥ（Ｒｅｌ．８）システムと同様の要領でＰＵＣＣＨのための無線リソースを特定し、ＰＣＣに割り当てられたＰＤＳＣＨに対する再送応答信号のみを送信する送信方法の通知を受けた場合（第３の態様に係る通信制御方法）、ＡＣＫ／ＮＡＣＫ判定部１０６は、ＰＣＣに割り当てられたＰＤＳＣＨが誤りなく受信できたか否か判定し、その受信状況に応じたＡＣＫ／ＮＡＣＫビット系列をＡＣＫ／ＮＡＣＫ信号符号化部１０７に出力する。
【００７６】
さらに、図５に示すフローに従って再送応答信号を送信又は制限する送信方法の通知を受けた場合（第４の態様に係る通信制御方法）、ＡＣＫ／ＮＡＣＫ判定部１０６は、図５に示す判定内容に応じて各ＣＣに割り当てられたＰＤＳＣＨが誤りなく受信できたか否か判定する。例えば、全てのＡＲＩで同一の無線リソースが指定される場合（ＳＴ５０１、Ｎｏ）、並びに、過半数以上のＡＲＩフィールドで同一の無線リソースが指定される場合（ＳＴ５０４、Ｙｅｓ）には、全てのＣＣにおいてＰＤＳＣＨが誤りなく受信できたか否か判定し、各ＰＤＳＣＨの受信状況に応じたＡＣＫ／ＮＡＣＫビット系列をＡＣＫ／ＮＡＣＫ信号符号化部１０７に出力する。この場合、ＡＣＫ／ＮＡＣＫ判定部１０６は、ＰＵＣＣＨフォーマットとして、ＰＵＣＣＨフォーマット３をＡＣＫ／ＮＡＣＫ信号符号化部１０７に出力する。また、ＰＣＣに割り当てられたＰＤＣＣＨを正しく受信している場合（ＳＴ５０６、Ｙｅｓ）には、ＰＣＣに割り当てられたＰＤＳＣＨが誤りなく受信できたか否か判定し、その受信状況に応じたＡＣＫ／ＮＡＣＫビット系列をＡＣＫ／ＮＡＣＫ信号符号化部１０７に出力する。この場合、ＡＣＫ／ＮＡＣＫ判定部１０６は、ＰＵＣＣＨフォーマットとして、ＰＵＣＣＨフォーマット１（１ａ、１ｂ）をＡＣＫ／ＮＡＣＫ信号符号化部１０７に出力する。一方、ＰＣＣに割り当てられたＰＤＣＣＨを正しく受信していない場合（ＳＴ５０６、Ｎｏ）には、ＰＤＳＣＨが誤りなく受信できたか否かの判定を行わず、ＤＴＸ状態を示すＡＣＫ／ＮＡＣＫビット系列をＡＣＫ／ＮＡＣＫ信号符号化部１０７に出力する。
【００７７】
ＡＣＫ／ＮＡＣＫ信号符号化部１０７は、ＡＣＫ／ＮＡＣＫ判定部１０６による判定結果（ＡＣＫ／ＮＡＣＫビット系列）を、予め定められた符号化テーブルに基づいて符号化する。また、ＡＣＫ／ＮＡＣＫ信号符号化部１０７は、再送応答信号送信制御部１０５から通知されたＰＵＣＣＨフォーマットに応じて、符号化したＡＣＫ／ＮＡＣＫビット系列を送信部のチャネル符号化部１００２、１３０１に出力する。例えば、ＰＵＣＣＨフォーマット３の通知を受けた場合には、符号化したＡＣＫ／ＮＡＣＫビット系列をチャネル符号化部１３０１に出力し、ＰＵＣＣＨフォーマット１（１ａ、１ｂ）の通知を受けた場合には、符号化したＡＣＫ／ＮＡＣＫビット系列をチャネル符号化部１００２に出力する。
【００７８】
図８は、本実施の形態に係る無線基地局装置２０の概略構成を示す図である。図８に示す無線基地局装置２０は、送信部と、受信部とを備えている。送信部は、上りリソース割り当て情報信号生成部２０１と、他の下りリンクチャネル信号と、上りリソース割り当て情報信号とを多重してＯＦＤＭ信号を生成するＯＦＤＭ信号生成部２０２とを有する。ここで、他の下りリンクチャネル信号は、データ、参照信号、制御信号などを含む。
【００７９】
上りリソース割り当て情報信号生成部２０１は、ＣＡＺＡＣ番号、リソースマッピング情報（ＲＢインデックス、ＡＲＩを含む）、巡回シフト番号、ブロック拡散符号番号（ＯＣＣ番号）を含む上りリソース割り当て情報信号を生成する。上りリソース割り当て情報信号生成部２０１は、生成した上りリソース割り当て情報信号をＯＦＤＭ信号生成部２０２に出力する。
【００８０】
ＯＦＤＭ信号生成部２０２は、他の下りリンクチャネル信号及び上りリソース割り当て情報信号を含む下りリンク信号をサブキャリアにマッピングし、逆高速フーリエ変換（ＩＦＦＴ）し、ＣＰを付加することにより、下り送信信号を生成する。このように生成された下り送信信号は、下りリンクで移動端末装置１０に送信される。
【００８１】
受信部は、受信信号からＣＰを除去するＣＰ除去部２０３と、受信信号を高速フーリエ変換（ＦＦＴ）するＦＦＴ部２０４と、ＦＦＴ後の信号をデマッピングするサブキャリアデマッピング部２０５と、サブキャリアデマッピング後の信号に対してブロック拡散符号（ＯＣＣ）で逆拡散するブロック逆拡散部２０６と、逆拡散後に信号から巡回シフトを除去して対象とするユーザの信号を分離する巡回シフト分離部２０７と、ユーザ分離後のデマッピング後の信号についてチャネル推定を行うチャネル推定部２０８と、チャネル推定値を用いてサブキャリアデマッピング後の信号をデータ復調するデータ復調部２０９と、データ復調後の信号をデータ復号するデータ復号部２１０とを有する。
【００８２】
ＣＰ除去部２０３は、ＣＰに相当する部分を除去して有効な信号部分を抽出する。ＣＰ除去部２０３は、ＣＰ除去後の信号をＦＦＴ部２０４に出力する。ＦＦＴ部２０４は、受信信号をＦＦＴして周波数領域の信号に変換する。ＦＦＴ部２０４は、ＦＦＴ後の信号をサブキャリアデマッピング部２０５に出力する。サブキャリアデマッピング部２０５は、リソースマッピング情報を用いて周波数領域の信号から上り制御チャネル信号であるＡＣＫ／ＮＡＣＫ信号を抽出する。サブキャリアデマッピング部２０５は、抽出されたＡＣＫ／ＮＡＣＫ信号をデータ復調部２０９へ出力する。サブキャリアデマッピング部２０５は、抽出された参照信号をブロック逆拡散部２０６へ出力する。
【００８３】
ブロック逆拡散部２０６では、ブロック拡散、すなわち直交符号（ＯＣＣ）（ブロック拡散符号）を用いて直交多重された受信信号を、移動端末装置で用いた直交符号で逆拡散する。ブロック逆拡散部２０６は、逆拡散後の信号を巡回シフト分離部２０７へ出力する。巡回シフト分離部７０７は、巡回シフトを用いて直交多重された制御信号を、巡回シフト番号を用いて分離する。移動端末装置１０からの上り制御チャネル信号には、ユーザ毎に異なる巡回シフト量で巡回シフトが行われている。したがって、移動端末装置１０で行われた巡回シフト量と同じ巡回シフト量だけ逆方向に巡回シフトを行うことにより、受信処理の対象とするユーザの制御信号を分離することができる。巡回シフト分離部２０７は、ユーザ分離後の信号をチャネル推定部２０８に出力する。
【００８４】
チャネル推定部２０８は、巡回シフト及び直交符号を用いて直交多重された参照信号を、巡回シフト番号及び必要に応じてＯＣＣ番号を用いて分離する。チャネル推定部２０８においては、巡回シフト番号に対応した巡回シフト量を用いて逆方向に巡回シフトを行う。また、ＯＣＣ番号に対応した直交符号を用いて逆拡散する。これにより、ユーザの信号（参照信号）を分離することが可能となる。また、チャネル推定部２０８は、リソースマッピング情報を用いて周波数領域の信号から受信した参照信号を抽出する。そして、ＣＡＺＡＣ番号に対応するＣＡＺＡＣ符号系列と受信したＣＡＺＡＣ符号系列との相関をとることにより、チャネル推定を行う。
【００８５】
データ復調部２０９は、ＡＣＫ／ＮＡＣＫ信号をデータ復調し、データ復号部２１０に出力する。このとき、データ復調部２０９は、チャネル推定部７０８からのチャネル推定値に基づいてデータ復調する。また、データ復号部２１０は、復調後のＡＣＫ／ＮＡＣＫ信号をデータ復号してＡＣＫ／ＮＡＣＫ情報として出力する。
【００８６】
無線基地局装置２０においては、このＡＣＫ／ＮＡＣＫ情報に基づいて、移動端末装置１０に対する新規のＰＤＳＣＨの送信、或いは、送信したＰＤＳＣＨの再送を判断する。例えば、上述した第１の態様又は第４の態様に係る通信制御方法により、移動端末装置１０からＤＴＸ状態を示すＡＣＫ／ＮＡＣＫ情報を受け取った場合には、全てのＣＣに対してＰＤＳＣＨを再送する。また、上述した第２の態様に係る通信制御方法により、移動端末装置１０から全てのＣＣにおけるＰＤＳＣＨの受信状況に応じたＡＣＫ／ＮＡＣＫ情報を受け取った場合には、それらのＡＣＫ／ＮＡＣＫ情報が示す受信状況に応じて新規のＰＤＳＣＨを送信し（ＡＣＫ／ＮＡＣＫ情報がＡＣＫであった場合）、送信したＰＤＳＣＨを再送する（ＡＣＫ／ＮＡＣＫ情報がＮＡＣＫであった場合）。さらに、上述した第３の態様に係る通信制御方法により、移動端末装置１０からＰＣＣにおけるＰＤＳＣＨの受信状況に応じたＡＣＫ／ＮＡＣＫ情報を受け取った場合には、そのＡＣＫ／ＮＡＣＫ情報が示す受信状況に応じて新規のＰＤＳＣＨを送信し（ＡＣＫ／ＮＡＣＫ情報がＡＣＫであった場合）、送信したＰＤＳＣＨを再送する（ＡＣＫ／ＮＡＣＫ情報がＮＡＣＫであった場合）。また、ＳＣＣに対しては、送信したＰＤＳＣＨを再送する。さらに、上述した第４の態様に係る通信制御方法により、移動端末装置１０からＡＣＫ／ＮＡＣＫ／ＤＴＸ状態を示すＡＣＫ／ＮＡＣＫ情報を受け取った場合には、その状態に応じて新規のＰＤＳＣＨを送信し（ＡＣＫ／ＮＡＣＫ情報がＡＣＫであった場合）、送信したＰＤＳＣＨを再送する（ＡＣＫ／ＮＡＣＫ情報がＮＡＣＫ又はＤＴＸであった場合）。
【００８７】
以上説明したように、本実施の形態に係る移動端末装置１０においては、複数のＳＣＣにおけるＰＤＣＣＨのＡＲＩフィールドで指定された無線リソースに異なる無線リソースが含まれる場合には、全てのＣＣに割り当てられたＰＤＳＣＨに対する再送応答信号（ＡＣＫ／ＮＡＣＫ）の送信が制限される（第１の態様に係る通信制御方法）。これにより、複数のＡＲＩフィールドで指定された無線リソースが異なる場合には再送応答信号が送信されないことから、無線基地局装置２０においては、全てのＣＣにおいてＰＤＣＣＨが正しく受信されなかったと判断することができる（すなわち、ＤＴＸと判断することができる）。この場合、無線基地局装置２０から全てのＣＣに対してＰＤＳＣＨが再送されることから、移動端末装置１０で再び全てのＣＣにおけるＰＤＳＣＨを受信することができるので、通信動作を安定して継続することが可能となる。
【００８８】
また、複数のＳＣＣにおけるＰＤＣＣＨのＡＲＩフィールドで指定された無線リソースに異なる無線リソースが含まれる場合において、ＳＣＣの数が３つ以上であり、過半数以上のＡＲＩフィールドで同一の無線リソースが指定された場合には、その過半数以上のＡＲＩフィールドで指定された無線リソースを用いて全てのＣＣに割り当てられたＰＤＳＣＨに対する再送応答信号が送信される（第２の態様に係る通信制御方法）。これにより、複数のＡＲＩフィールドで指定された無線リソースが異なる場合であっても、一定条件下において、過半数以上のＡＲＩフィールドで指定された無線リソースを用いて全てのＣＣに割り当てられたＰＤＳＣＨに対する再送応答信号が送信されることから、無線基地局装置２０においては、全てのＣＣのＰＤＣＣＨが正しく受信されたことを判断することができる。この場合、無線基地局装置２０から全てのＣＣに対して新規のＰＤＳＣＨが送信、或いは、送信したＰＤＳＣＨが再送されることから、移動端末装置１０で全てのＣＣにおける新規のＰＤＳＣＨ又は再送されたＰＤＳＣＨを受信することができるので、通信動作を安定して継続することが可能となる。
【００８９】
さらに、複数のＳＣＣにおけるＰＤＣＣＨのＡＲＩフィールドで指定された無線リソースに異なる無線リソースが含まれる場合において、ＰＣＣのＰＤＣＣＨを適切に受信している場合には、ＬＴＥ（Ｒｅｌ．８）システムと同様の要領でＰＵＣＣＨのための無線リソースを特定し、ＰＣＣに割り当てられたＰＤＳＣＨに対する再送応答信号のみが送信される（第３の態様に係る通信制御方法）。これにより、複数のＡＲＩフィールドで指定された無線リソースが異なる場合であっても、一定条件下において、ＰＣＣに割り当てられたＰＤＳＣＨに対する再送応答信号が送信されることから、無線基地局装置２０においては、ＰＣＣのみＰＤＣＣＨが正しく受信されたことを判断することができる。この場合、無線基地局装置２０から全てのＳＣＣに対してＰＤＳＣＨが再送されることから、移動端末装置１０で再び全てのＳＣＣにおけるＰＤＳＣＨを受信することができるので、通信動作を安定して継続することが可能となる。また、ＰＣＣのＰＤＳＣＨが適切に受信された場合には、ＰＣＣにおけるＰＤＳＣＨの再送が不要となるので、全てのＣＣに対してＰＤＳＣＨが再送される場合に比べてスループット特性を改善することが可能となる。
【００９０】
さらに、複数のＳＣＣにおけるＰＤＣＣＨのＡＲＩフィールドで指定された無線リソースに異なる無線リソースが含まれる場合、第１〜第３の態様に係る通信制御方法を組み合わせて再送応答信号が送信又は制限される（第４の態様に係る通信制御方法）。具体的には、複数のＳＣＣにおけるＰＤＣＣＨのＡＲＩフィールドで指定された無線リソースに異なる無線リソースが含まれる場合において、ＳＣＣの数が３つ以上であり、過半数以上のＡＲＩフィールドで同一の無線リソースが指定された場合には、その過半数以上のＡＲＩフィールドで指定された無線リソースを用いて全てのＣＣに割り当てられたＰＤＳＣＨに対する再送応答信号が送信される。また、ＳＣＣの数が３つに満たない場合、或いは、ＡＲＩフィールドで指定された同一の無線リソースが過半数に満たない場合であって、ＰＣＣのＰＤＣＣＨを適切に受信している場合には、ＬＴＥ（Ｒｅｌ．８）システムと同様の要領でＰＵＣＣＨの無線リソースを特定し、ＰＣＣに割り当てられたＰＤＳＣＨに対する再送応答信号のみが送信される。さらに、ＰＣＣのＰＤＣＣＨを適切に受信していない場合には、全てのＣＣに割り当てられたＰＤＳＣＨに対する再送応答信号の送信が制限される。これにより、複数のＡＲＩフィールドにより指定された無線リソースの状況に応じて柔軟に再送応答信号の送信態様を変更しながら、通信動作を安定して継続することが可能となる。
【００９１】
本発明の範囲を逸脱しない限りにおいて、上記説明における処理部の数、処理手順については適宜変更して実施することが可能である。また、図に示される要素の各々は機能を示しており、各機能ブロックがハードウエアで実現されても良く、ソフトウエアで実現されてもよい。その他、本発明の範囲を逸脱しないで適宜変更して実施することが可能である。
【符号の説明】
【００９２】
１  移動通信システム
１０  移動端末装置
２０  無線基地局装置
３０  コアネットワーク
４０  セル
１００  第１ＡＣＫ／ＮＡＣＫ信号処理部
１０１  参照信号処理部
１０２  時間多重部
１０３  ＯＦＤＭ信号復調部
１０４  下り制御信号復号部
１０５  再送応答信号送信制御部
１０６  ＡＣＫ／ＮＡＣＫ判定部
１０７  ＡＣＫ／ＮＡＣＫ信号符号化部
１３０  第２ＡＣＫ／ＮＡＣＫ信号処理部
２０１  上りリソース割り当て情報信号生成部
２０２  ＯＦＤＭ信号生成部
２０３  ＣＰ除去部
２０４  ＦＦＴ部
２０５  サブキャリアデマッピング部
２０６  ブロック逆拡散部
２０７  巡回シフト分離部
２０８  チャネル推定部
２０９  データ復調部
２１０  データ復号部
１００１、１０１１  ＣＡＺＡＣ符号生成部
１００２、１３０１  チャネル符号化部
１００３、１３０２  データ変調部
１００４  ブロック変調部
１００５、１０１２  巡回シフト部
１００６、１０１３、１３０４  ブロック拡散部
１００７、１０１４、１３０５  サブキャリアマッピング部
１００８、１０１５、１３０５  ＩＦＦＴ部
１００９、１０１６、１３０７  ＣＰ付与部
１３０３  ＤＦＴ部
【図１】
0005388369.tif 000002
【図２】
0005388369.tif 000003
【図３】
0005388369.tif 000004
【図４】
0005388369.tif 000005
【図５】
0005388369.tif 000006
【図６】
0005388369.tif 000007
【図７】
0005388369.tif 000008
【図８】
0005388369.tif 000009